(57)【要約】      （修正有）【課題】  携帯端末と改札機や精算機との間で取り引きが確立しているかを明確に確認できる駅務システムを提供する。【解決手段】  利用者Ｕが所持する携帯端末１０と改札機２１との間で光通信を行ってデータの送受を行うことによって改札機２１の通過を可能とする駅務システム２０であって、改札機２１は、表示灯２４，２５と、表示灯近傍に設けられた携帯端末からのデータを受信するデータ受信手段２４ａ，２５ａと、データ受信手段で受信したデータを処理し、その処理結果に基づいて表示灯の点灯状態を変える点灯状態変調手段と、を備え、携帯端末１０は、光信号送受信手段とデータ処理手段とを備えている。【選択図】  図１
2007079723.tif 000002
【特許請求の範囲】
【請求項１】
利用者が所持する携帯端末と改札機との間で光通信を行ってデータの送受を行うことによって改札機の通過を可能とする駅務システムであって、
前記改札機は、表示灯と、前記携帯端末からのデータを受信する前記表示灯近傍に設けられたデータ受信手段と、前記データ受信手段で受信したデータを処理し、その処理結果に基づいて前記表示灯の点灯状態を変える点灯状態変調手段と、を備え、
前記携帯端末は、光信号送受信手段とデータ処理手段とを備えることを特徴とする駅務システム。
【請求項２】
前記改札機は、故障したとき故障箇所を保守パネルのパイロットランプの光に故障箇所のデータをのせて変調する光変調手段を備えることを特徴とする請求項１記載の駅務システム。
【請求項３】
前記表示灯は、非接触通信位置指示のための表示灯であることを特徴とする請求項１または２記載の駅務システム。
【請求項４】
前記表示灯は、前記改札機の進入通路表示灯であることを特徴とする請求項１〜３のいずれか１項に記載の駅務システム。
【請求項５】
精算機は、光信号送受信手段と、前記携帯端末からのデータに基づいて精算処理を行う精算処理手段と、を備え、
前記改札機は、携帯端末からの精算データに基づいて改札処理を行うことを特徴とする請求項１〜４のいずれか１項に記載の駅務システム。
【請求項６】
前記携帯端末は、情報サービス受信手段を備えることを特徴とする請求項１〜５のいずれか１項に記載の駅務システム。
【発明の詳細な説明】
【技術分野】
【０００１】
本発明は駅務システムに関し、特に、人が所持する携帯端末と改札機に設けられた表示灯との間での光通信を利用した駅務システムに関する。
【背景技術】
【０００２】
近年、駅の改札機等の駅務システムは、非接触式ＩＣカードを利用する方式のものになってきている。非接触式ＩＣカードを利用した駅務システムは、電波を利用して通信を行っている。電波による通信は、電波が不可視であり取り引きが確立しているか不明瞭なため、音による通知をするなどの工夫を行っている（例えば、特許文献１）。
【特許文献１】特開２００３−２９３１９３号公報
【発明の開示】
【発明が解決しようとする課題】
【０００３】
非接触式ＩＣカードを利用した駅務システムは、電波により通信を行っているため、電波が不可視であり取り引きが確立しているか不明瞭なため、音による通知をするなどの工夫が必要であった。
【０００４】
本発明の目的は、上記の課題に鑑み、携帯端末と改札機や精算機との間で取り引きが確立しているか明確に確認できる駅務システムを提供することにある。
【課題を解決するための手段】
【０００５】
本発明に係る駅務システムは、上記の目的を達成するため、次のように構成される。
【０００６】
第１の駅務システム（請求項１に対応）は、利用者が所持する携帯端末と改札機との間で光通信を行ってデータの送受を行うことによって改札機の通過を可能とする駅務システムであって、改札機は、表示灯と、携帯端末からのデータを受信する表示灯近傍に設けられたデータ受信手段と、データ受信手段で受信したデータを処理し、その処理結果に基づいて表示灯の点灯状態を変える点灯状態変調手段と、を備え、携帯端末は、光信号送受信手段とデータ処理手段とを備えることで特徴づけられる。
【０００７】
上記の構成によれば、利用者が所持する携帯端末と改札機に備えられた可視光を発する表示灯からの点灯状態を変調した光によって光通信を行い、取り引きが行われるので、取り引きが確立しているかどうかが明確に確認できる。
【０００８】
第２の駅務システム（請求項２に対応）は、上記の構成において、好ましくは、改札機は、故障したとき故障箇所を保守パネルのパイロットランプの光に故障箇所のデータをのせて変調する光変調手段を備えることで特徴づけられる。
【０００９】
第３の駅務システム（請求項３に対応）は、上記の構成において、好ましくは、表示灯は、非接触通信位置指示のための表示灯であることで特徴づけられる。
【００１０】
第４の駅務システム（請求項４に対応）は、上記の構成において、好ましくは、表示灯は、改札機の進入通路表示灯であることで特徴づけられる。
【００１１】
第５の駅務システム（請求項５に対応）は、上記の構成において、好ましくは、精算機は、光信号送受信手段と、携帯端末からのデータに基づいて精算処理を行う精算処理手段と、を備え、改札機は、携帯端末からの精算データに基づいて改札処理を行うことで特徴づけられる。
【００１２】
第６の駅務システム（請求項６に対応）は、上記の構成において、好ましくは、携帯端末は、情報サービス受信手段を備えることで特徴づけられる。
【発明の効果】
【００１３】
本発明によれば、利用者が所持する携帯端末と改札機に備えられた可視光を発する表示灯からの点灯状態を変調した光によって光通信を行い、取り引きが行われるので、取り引きが確立しているか明確に確認できる。
また、本発明によれば、改札機は、故障したとき故障箇所を保守パネルのパイロットランプの光に故障箇所のデータをのせて変調する光変調手段を備えるため、故障箇所が容易に分かり、保守を容易に行うことができる。
さらに、本発明によれば、精算機には、光信号送受信手段と、携帯端末からのデータに基づいて精算処理を行う精算処理手段と、を備え、改札機は、携帯端末からの精算券データに基づいて改札処理を行うため、容易に精算ができ、改札処理を円滑に行うことができる。
また、携帯端末は、情報サービス受信手段を備えるため、駅務システムからサービスを受けることができる。
【発明を実施するための最良の形態】
【００１４】
以下に、本発明の好適な実施形態（実施例）を添付図面に基づいて説明する。
【００１５】
図１〜図７を参照して本発明の第１実施形態に係る駅務システムの構成を説明する。この実施形態では、携帯端末として携帯電話１０の例で説明する。なお携帯端末は、当該携帯電話１０に限定されず、ＰＤＡやこれに類似する機器等を用いることができる。図１に示すように、駅務システム２０は、利用者Ｕが所持する携帯電話１０と改札機２１の間で可視光通信で通信を行って、データの送受を行い、携帯電話１０を用いて駅の改札などの駅務を行うための装置である。
【００１６】
図１において、駅務システム２０は、改札機２１、精算機２６から主に構成される。
【００１７】
改札機２１は、改札機本体２２とゲート２３と非接触通信位置指示のための表示灯２４と進入通路表示灯２５を有している。表示灯２４の近傍には、データ受信部２４ａが設けられている。進入通路表示灯２５の近傍には、データ受信部２５ａが設けられている。利用者Ｕが予めホームへの入場を許可されるためのデータを記憶している携帯電話１０からその入場を許可するデータ情報を発光部からデータ情報で変調させた可視光により改札機２１のデータ受信部２４ａあるいはデータ受信部２５ａに送信することにより、ゲート２３が開く。それにより、利用者Ｕは、ホームに入場することができる。
【００１８】
携帯電話１０からデータがデータ受信部２４ａあるいはデータ受信部２５ａに送られたとき表示灯２４あるいは進入通路表示灯２５は、入場履歴情報を可視光を発する表示灯からの点灯状態を変調した光によって光通信を行い送信することによって、携帯電話１０との取り引きが行われる。この取り引きは、可視光を送受することによって行われるため、改札機２１と携帯電話１０と取り引きをしているということを明確にすることができる。
【００１９】
精算機２６は、光信号送受信部２６ａを備えている。駅の構内から退場するときは、乗り越し精算の必要な場合は、利用者Ｕ’は、精算機２６の光信号送受信部２６ａに携帯電話１１から乗車したときの駅の改札機の表示灯から受信し、記憶した入場履歴情報を送る。それにより、精算機２６は、携帯電話１１から受けた入場履歴情報に基づいて乗り越し精算をし、その乗り越し精算済みの情報を光信号送受信部２６ａから携帯電話１１に送られ、携帯電話１１の記憶部に乗り越し精算済み情報が記憶される。利用者Ｕ’は、その携帯電話１１から改札機２１のデータ受信部２４ａあるいはデータ受信部２５ａに精算済み情報をのせた変調光を送る。それにより、ゲート２３が開き、退場することができる。
【００２０】
携帯電話１１からデータがデータ受信部２４ａあるいはデータ受信部２５ａに送られたとき表示灯２４あるいは進入通路表示灯２５は、退場履歴情報を可視光を発する表示灯からの点灯状態を変調した光によって光通信を行い送信することによって、携帯電話１１との取り引きが行われる。この取り引きは、可視光を送受することによって行われるため、改札機２１と携帯電話１１と取り引きをしているということを明確にすることができる。
【００２１】
図２は、改札機２１のブロック図である。改札機２１は、制御装置３０と図１で示したゲート２３と表示灯２４と進入通路表示灯２５とデータ受信部２４ａとデータ受信部２５ａを備えている。制御装置３０は、ゲート２３の開閉の制御と、データ受信部２４ａまたはデータ受信部２５ａから入力された携帯電話１０，１１からの光信号を処理し、表示灯２４と進入通路表示灯２５から携帯電話１０，１１に光信号を送る制御を行う。制御装置３０の内部構成として、ＣＰＵ３１と、光信号処理部３２と、変調部３３と、データ処理部３４と、ゲート駆動制御部３５と、記憶部３６を備えている。そして、ＣＰＵ３１と、光信号処理部３２と、変調部３３と、データ処理部３４と、ゲート駆動制御部３５と、記憶部３６は、バス３７により、データを送受できるようにそれぞれ接続されている。
【００２２】
ＣＰＵ３１は、光信号処理部３２と変調部３３とデータ処理部３４とゲート駆動制御部３５と記憶部３６の制御を行う。光信号処理部３２は、データ処理部３４で処理されたデータに基づいて入力履歴情報あるいは退場履歴情報を作成する。変調部３３は、光信号処理部３２で作成された入場履歴情報あるいは退場履歴情報をのせて表示灯２４，２５から出力される光を変調する。データ処理部３４は、データ受信部２４ａあるいはデータ受信部２５ａから入力された入場許可データあるいは退場許可データを処理し、光信号処理部３２とゲート駆動制御部３５に送る。ゲート駆動制御部３５は、データ処理部３４からのデータに基づいて、ゲート２３の開閉を制御する。記憶部３６は、データ処理部３４と光信号処理部で処理したデータを記憶する。
【００２３】
また、改札機２１は、図３のブロック図で示す改札機の故障時に用いられる保守用装置４０も備えている。改札機の保守用装置４０は、ＣＰＵ４１故障箇所検知部４２と光変調部４３とパイロットランプ４４を備えている。ＣＰＵ４１は、故障箇所検知部４２と光変調部４３を制御する。故障箇所検知部４２は、改札機２１が故障したとき、故障箇所を検知し、その検知場所を記憶する。光変調部４３は、故障箇所検知部４２で記憶された故障箇所情報をのせるためにパイロットランプ４４の光を変調する。改札機が故障した場合、故障箇所検知部４２により、故障箇所が記憶される。その故障箇所の情報を光変調部４３によりパイロットランプ４４の光を変調する。保守作業員は、携帯端末４５により、パイロットランプ４４の光を受信し、その受信した光から故障箇所の情報を得ることができる。
【００２４】
図４は精算機２６のブロック図である。精算機２６は、ＣＰＵ５０は、光信号送受信部５１と精算処理部５２と発光部５３と受光部５４を備えている。ＣＰＵ５０は、光信号送受信部５１と精算処理部５２を制御する。光信号送受信部５１は、受光部５４で受けた光信号を受信し、精算処理部５２に送り、また、精算処理部５２で処理されて得られたデータを発光部５３から送る。精算処理部５２は、光信号送受信部５１から受けたデータを処理し、得られた結果を光信号送受信部５１に送る。
【００２５】
携帯電話１０は利用者Ｕが携帯・所持するものである。携帯電話１０は、図５で示すごとく、機能部として、ＣＰＵ６０と光信号送受信部６１とデータ処理部６２と発光部６３と受光部６４を備えている。ＣＰＵ６０は、光信号送受信部６１とデータ処理部６２を制御する。光信号送受信部６１は、受光部５４で受けた光信号を受信し、データ処理部６２に送り、また、データ処理部６２で処理されて得られたデータを発光部６３から送る。データ処理部６２は、光信号送受信部６１から受けたデータを処理し、得られた結果を光信号送受信部６１に送る。
【００２６】
上記の携帯電話１０は、現在の通常の携帯電話機が備える各機能部分によって、上記の構成が実現される。また一般的に携帯端末については、専用の携帯端末機器として作製することも可能である。
【００２７】
次に、本実施形態の駅務システム２０における処理をフローチャートに従って説明する。図６は改札機２１での処理を示すフローチャートである。
【００２８】
図７で示すように、携帯電話１０により、利用者Ｕが入場許可の情報をのせた可視光Ｌによる光信号を送信すると、改札機２１のデータ受信部２５ａは、入場許可情報をのせた光信号を受信する（ステップＳ１１）。図２で示すデータ処理部３４は、その受信した光信号に基づいて利用者が入場許可を得ているかどうかの処理を行う（ステップＳ１２）。データ処理部３４の処理に基づいて、光信号処理部３２は、入場履歴情報を作成する（ステップＳ１３）。変調部３３は、入場履歴情報を表示灯の光を変調してのせる（ステップＳ１４）。携帯電話１０の受光部では、そのデータを受信し、取り引きが成立する（ステップＳ１５）。
【００２９】
以上のように、携帯電話１０の利用者Ｕは、改札機２１によって、入退場処理が行われる。このとき、可視光で信号のやりとりが行われるので、取り引きしている様子が明確にすることができる。
【００３０】
次に、精算機２６での処理を説明する。利用者は、携帯電話１１の情報を精算機２６に読み込ませる。読み込まれた情報に基づいて、図４で示す精算処理部５２により、精算し、その精算データを携帯電話１１に発光部５３から送る。携帯電話１１はその精算データを記憶する。利用者Ｕ’は、携帯電話１１を改札機２１のデータ受信部２４ａにかざすことにより、光通信が行われ、改札処理を済ますことができる。
【００３１】
図８〜図１０を参照して本発明の第２実施形態に係る駅務システムの構成を説明する。
【００３２】
第２実施形態に係る駅務システムは、基本的に図１で示した駅務システムと同様であるが、図８で示すように改札機２１にサービス提供部７０を有し、図９で示すように携帯電話１０，１１に情報サービス受信部７１を有している。この情報サービス受信部７１はサービスを受けるためのアプリケーションプログラムを有している。利用者Ｕが所持する携帯電話１０との間で光通信を行ってデータの送受を行い、携帯電話１０にサービスを提供する装置である。改札機２１は、制御装置３０にサービス提供部７０を備えている。改札機２１と携帯電話１０の他の機能は第１実施形態と同様なので同じ符号を付している。
【００３３】
次に、本実施形態の駅務システム４０における処理をフローチャートに従って説明する。図１０は駅務システムの処理を示すフローチャートである。
【００３４】
本実施形態の携帯電話１０により、利用者Ｕが、サービスを受けるためのサービス要求信号を送信すると、改札機２１は、データ受信部２５ａにより光信号を受信する（ステップＳ２１）。データ処理部３４は、その光信号がサービス要求信号であることを確認する（ステップＳ２２）。サービス提供部７０は、そのサービス要求信号に基づいてサービスの内容を光信号処理部３２でのせて変調部３３において、表示灯２５の光を変調する（ステップＳ２３）。携帯電話１０は、その変調された光を受信し、その信号から情報サービスを受ける（ステップＳ２５）。
【００３５】
以上のように、携帯電話１０の利用者Ｕは、改札機２１のサービス提供部７０によって当該携帯電話１０にサービスを受けることができる。
【産業上の利用可能性】
【００３６】
本発明は、携帯電話等の携帯端末を用いた駅務システムとして利用される。
【図面の簡単な説明】
【００３７】
【図１】本発明の第１の実施形態に係る駅務システムの構成を説明するための図である。
【図２】本発明の第１の実施形態に係る駅務システムの改札機の構成を説明するための図である。
【図３】第１実施形態での改札機の保守機能のブロック図である。
【図４】本発明の第１の実施形態に係る駅務システムの精算機の構成を説明するための図である。
【図５】第１実施形態での携帯端末の機能ブロック図である。
【図６】本発明の第１の実施形態に係る駅務システムでの処理を説明するフローチャートである。
【図７】携帯電話と改札機での光通信による取り引きをしている様子を示す図である。
【図８】本発明の第２の実施形態に係る駅務システムの改札機の構成を説明するための図である。
【図９】第２実施形態での携帯端末の機能ブロック図である。
【図１０】本発明の第２の実施形態に係る駅務システムでの処理を説明するフローチャートである。
【符号の説明】
【００３８】
１０      携帯電話
２０      駅務システム
２１      改札機
２２      改札機本体
２３      ゲート
２４      表示灯
２４ａ    データ受信部
２５      進入通路表示灯
２５ａ    データ受信部
２６      精算機
【図１】
2007079723.tif 000003
【図２】
2007079723.tif 000004
【図３】
2007079723.tif 000005
【図４】
2007079723.tif 000006
【図５】
2007079723.tif 000007
【図６】
2007079723.tif 000008
【図７】
2007079723.tif 000009
【図８】
2007079723.tif 000010
【図９】
2007079723.tif 000011
【図１０】
2007079723.tif 000012